(57)【要約】【課題】テレビドアホン装置で、来訪者の画像または音声を正確に記録する。【解決手段】テレビドアホン装置は、子機１と親機８とから、主に構成される。子機１は、撮像装置２、集音装置３、音響発生装置４、呼出ボタン５、および、呼出ボタンの位置を知らしめるための表示装置６を含む。親機８は、表示装置９、音響発生装置１０、集音装置１１、応答ボタン１２、留守設定ボタン１３、および、記録ボタン１４を含む。呼出ボタン５が操作され、画像および／または音声が記録される旨が報知された後、再度呼出ボタン５が操作されたことを条件として、親機８において、撮像装置２で撮影された画像および／または集音装置３で集音された音声が記録される。【選択図】        図１
2004201089.tif 000002
【特許請求の範囲】
【請求項１】
来訪者の発する音声に基づいて信号を生成する集音部、来訪者の画像を撮影する撮像部、来訪者に対して音声を出力する音声出力部、および、来訪者から操作される呼出ボタンを備える子機と、前記子機と接続され応答者側に設置される親機とを含むテレビドアホン装置であって、
前記音声出力部に所定の情報を報知させる報知部と、
前記所定の情報が報知された後に、前記集音部が生成した信号および／または前記撮像部が撮影した画像を記録する記録部とをさらに含む、テレビドアホン装置。
【請求項２】
前記報知部は、前記呼出ボタンが操作されたことに応じて、前記音声出力部に前記所定の情報を報知させる、請求項１に記載のテレビドアホン装置。
【請求項３】
前記記録部は、前記所定の情報が報知された後に前記呼出ボタンが操作されたことを条件として、前記集音部が生成した信号および／または前記撮像部が撮影した画像を記録する、請求項１または請求項２に記載のテレビドアホン装置。
【請求項４】
前記テレビドアホン装置を留守応答状態に設定する設定部をさらに含み、
前記報知部は、前記テレビドアホン装置が前記留守応答状態に設定されていることを条件として、前記音声出力部に前記所定の情報を報知させる、請求項１〜請求項３のいずれかに記載のテレビドアホン装置。
【請求項５】
前記テレビドアホン装置を留守応答状態に設定する設定部をさらに含み、
前記記録部は、前記テレビドアホン装置が前記留守応答状態に設定されていることを条件として、前記集音部が生成した信号および／または前記撮像部が撮影した画像を記録する、請求項１〜請求項４のいずれかに記載のテレビドアホン装置。
【請求項６】
前記子機は、情報を表示する表示部をさらに備え、
前記報知部は、前記所定の情報の報知を行なう際、前記表示部において所定の画像を表示させる、請求項１〜請求項５のいずれかに記載のテレビドアホン装置。
【請求項７】
前記記録部が記録した信号および／または画像を、前記音声出力部および／または前記表示部に出力させる記録情報出力部をさらに含む、請求項６に記載のテレビドアホン装置。
【発明の詳細な説明】
【０００１】
【発明の属する技術分野】
本発明は、テレビドアホン装置に関し、特に、来訪者の音声または画像を記録できるテレビドアホン装置に関する。
【０００２】
【従来の技術】
従来のテレビドアホン装置としては、来訪者の画像および／または音声を記録するような、例えば特許公報１〜特許公報３に開示されたものが挙げられる。特に、特許公報１には、映像の解像度の改善および記録についての冗長度の削減を図られたテレビドアホン装置が開示されている。また、特許公報２には、音声とこれに対応する画像とを同時に再生することのできるテレビドアホン装置が開示されている。
【０００３】
【特許文献１】
特開平４−２７３６９０号公報
【０００４】
【特許文献２】
特開平５−１３６８９９号公報
【０００５】
【特許文献３】
特開平２−２１８２８３号公報
【０００６】
【発明が解決しようとする課題】
しかしながら、上記した従来技術では、画像の記録または音声の記録のタイミングを、来訪者が正確に認識できなかったり、呼出ボタンを押されてからテレビドアホン装置において自ら定められた一義的なタイミングとされる等、来訪者が決定することができなかった。
【０００７】
また、従来のテレビドアホン装置では、留守または自動対応設定において来訪者の画像または音声が記録される際、画像認識などにより来訪者の位置が自動的に検出されてカメラの撮像の向きが自動的に変えられるものがあったが、このような装置についても、来訪者にその意図が伝えられることなく、当該自動的なカメラの向きの変更が行なわれていたため、来訪者の予期せぬ動き、または、理解不足から、画像または音声を正確に記録出来ないといった問題があった。
【０００８】
本発明は上述したかかる実情に鑑み考え出されたものであり、その目的は、来訪者の画像または音声を正確に記録できるテレビドアホン装置を提供することである。
【０００９】
【課題を解決するための手段】
本発明に従ったテレビドアホン装置は、来訪者の発する音声に基づいて信号を生成する集音部、来訪者の画像を撮影する撮像部、来訪者に対して音声を出力する音声出力部、および、来訪者から操作される呼出ボタンを備える子機と、前記子機と接続され応答者側に設置される親機とを含むテレビドアホン装置であって、前記音声出力部に所定の情報を報知させる報知部と、前記所定の情報が報知された後に、前記集音部が生成した信号および／または前記撮像部が撮影した画像を記録する記録部とをさら含むことを特徴とする。
【００１０】
また、本発明に従ったテレビドアホン装置では、前記報知部は、前記呼出ボタンが操作されたことに応じて、前記音声出力部に前記所定の情報を報知させることが好ましい。
【００１１】
また、本発明に従ったテレビドアホン装置では、前記記録部は、前記所定の情報が報知された後に前記呼出ボタンが操作されたことを条件として、前記集音部が生成した信号および／または前記撮像部が撮影した画像を記録することが好ましい。
【００１２】
また、本発明に従ったテレビドアホン装置は、前記テレビドアホン装置を留守応答状態に設定する設定部をさらに含み、前記報知部は、前記テレビドアホン装置が前記留守応答状態に設定されていることを条件として、前記音声出力部に前記所定の情報を報知させることが好ましい。
【００１３】
また、本発明に従ったテレビドアホン装置は、前記テレビドアホン装置を留守応答状態に設定する設定部をさらに含み、前記記録部は、前記テレビドアホン装置が前記留守応答状態に設定されていることを条件として、前記集音部が生成した信号および／または前記撮像部が撮影した画像を記録することが好ましい。
【００１４】
また、本発明に従ったテレビドアホン装置では、前記子機は、情報を表示する表示部をさらに備え、前記報知部は、前記所定の情報の報知を行なう際、前記表示部において所定の画像を表示させることが好ましい。
【００１５】
また、本発明に従ったテレビドアホン装置は、前記記録部が記録した信号および／または画像を、前記音声出力部および／または前記表示部に出力させる記録情報出力部をさらに含むことが好ましい。
【００１６】
【発明の実施の形態】
以下、図面を参照しつつ、本発明のテレビドアホン装置の一実施の形態について説明する。なお、以下の説明では、同一の部品には、特記された場合を除き、同一の符号が付され、それらの名称および機能も同じである。したがって、それらについての詳細な説明は繰り返さない。
【００１７】
図１は、テレビドアホン装置全体を模式的に示す図である。テレビドアホン装置は、子機１と、当該子機１と接続ケーブル７で接続された親機８とから、主に構成される。
【００１８】
子機１は、来訪者を撮像するための撮像装置２、来訪者の音声を集音するための集音装置３、宅内者の声を出力する、または、合成音声もしくは電子音を発生するための音響発生装置４、来訪者の来意を告げるための呼出ボタン５、および、呼出ボタンの位置を知らしめるための表示装置６を含む。
【００１９】
親機８は、子機１より送られてきた撮像情報を表示するための表示装置９、集音装置３で集められた音声を出力する音響発生装置１０、宅内者の音声を集音するための集音装置１１、宅内者が来訪者と通話を実施するための応答ボタン１２、宅内者がテレビドアホン装置を留守設定または自動応答設定とするための留守設定ボタン１３、および、宅内者が記録を任意に行なうための、または、記録の再生を行なうための記録ボタン１４を含む。
【００２０】
図２は、子機１の制御ブロック図である。子機１では、映像撮像装置２で得られた画像信号は、親機８へと送信されるために、変復調回路１７において所定の形式の信号へと変換される。集音装置３と音響発生装置４は、音声回路１５によって、子機１のユーザ（主に来訪者）が親機８のユーザとが会話を行なえるよう、動作を制御される。なお、集音装置３において集められた音の情報は、変復調回路１７を通じて、所定の信号へと変換され、当該変換後の信号は、親機８へと送られる。また、親機８から送られてきた音声信号は、変復調回路１７において変換された後、音響発生装置４において出力される。音響発生装置４は、さらに、親機８から送られる音声信号以外の情報に基づいて、電子音等の音声を出力することもできる。
【００２１】
呼出ボタン５は、来意を示す来訪者によって押圧されるボタンである。呼出ボタン５が押圧されると、このことが呼出制御回路１６で検出される。呼出制御回路１６は、呼出ボタン５の押圧を検出すると、それを変復調回路１７に伝達する。これに応じて、変復調回路１７は、親機８に対して、来訪者が存在することを伝える。
【００２２】
表示装置６は、呼出ボタン５の近傍に設置されており、たとえばランプ等、点灯／消灯等、表示状態を変更できる装置によって構成される。なお、表示装置６は、ユーザに対し、呼出ボタン５の位置を示すことができる。表示装置６は、呼出制御回路１６を介して、親機８により動作を制御される。なお、親機８から入力される情報に応じて、表示状態を変更することが可能に構成されている。
【００２３】
図３は、親機８の制御ブロック図である。
図３は、子機１より送られてきた撮像信号および音声信号の復調、ならびに、親機８より子機１への音声信号および制御信号を変復調するための、変復調回路１８を備えている。呼出ボタン５が押圧された場合、子機１から送信されてきた呼出を示す信号は、変復調回路１８を介して、制御回路２１に入力される。
【００２４】
留守設定ボタン１３は、親機８に備えられる、テレビドアホン装置を留守設定にするためのボタンである。留守設定ボタン１３が操作されることにより留守設定がなされている場合、または、呼出ボタン５が押圧されてから一定期間親機８の応答が得られない場合は、テレビドアホン装置は自動応答設定となる。自動応答設定がなされると、テレビドアホン装置では、制御回路２１が、子機１を通じて、来訪者に対して自動的に応答するよう、各要素を制御する。
【００２５】
詳しくは、自動応答設定では、来訪者に対して、画像、音声、またはその両方を記録することを知らしめ、それら記録するタイミングを示すために、子機１の呼出ボタン５を再度押されるタイミングにより、記録を行うタイミングを取る。または、表示装置６の発光色を変える、発光を停止するなどして、記録するタイミングを知らしめることで、来訪者は記録されるタイミングを知ることが出来ることで、正確な記録を残すことが出来る。
【００２６】
以下に、図４を参照して、制御回路２１の具体的な制御内容を説明する。図４は、制御回路２１のメインルーチンのフローチャートである。
【００２７】
制御回路２１は、まず、ステップＳ１（以下、ステップを省略する）で、呼出ボタン５が押圧されたか否かを判断する。そして、押圧されたと判断すると、Ｓ２に処理を進める。
【００２８】
Ｓ２では、制御回路２１は、テレビドアホン装置が上記したような留守設定にされているか否かを判断する。留守設定にされていれば、Ｓ６で自動応答処理を行なった後、処理をＳ１に戻す。一方、留守設定にされていなければ、Ｓ３に処理を進める。
【００２９】
Ｓ３では、制御回路２１は、親機８において、呼出ボタン５の押圧に対する応答があったか否かを判断する。この場合の応答とは、具体的には、親機８において、応答ボタン１２の押圧があったか否かを判断する。そして、応答があった場合には、制御回路２１は、Ｓ４で、通常の応答のための処理を行なった後、Ｓ１に処理を戻す。一方、応答ボタン１２の押圧が無い場合には、制御回路２１は、Ｓ５で、呼出ボタン５が押圧されてから予め定められた時間Ｔ（任意に決定することが可能）が経過したか否かを判断する。時間Ｔが経過するまでは、Ｓ３に処理が戻される。そして、応答ボタン１２の押圧が無いまま時間Ｔが経過すれば、処理は、Ｓ６に移行される。
【００３０】
ここえ、Ｓ６の自動応答処理について、図５を参照しつつその内容を詳細に説明する。図５は、自動応答処理のサブルーチンのフローチャートである。
【００３１】
自動応答処理では、制御回路２１は、まずＳ６１で、子機１において撮影および／または集音された画像および／または音声が記録される旨を報知する処理を行なう。報知する処理とは、具体的には、たとえば、表示装置６の発光色をそれまでとは変える、発光を停止させる、発光を点滅させる、または、記録を開始する旨の音声を音響発生装置４で発生させるということが挙げられる。
【００３２】
次に、制御回路２１は、Ｓ６２で、Ｓ６１における報知の後にさらに呼出ボタン５が押圧されたか否かを判断する。そして、押圧されたと判断すると、Ｓ６３で、子機１において撮影および／または集音された画像および／または音声の記録を開始することを報知した後、Ｓ６４で、実際に当該画像および／または音声を記録する処理を行なって、そして、処理をリターンする。
【００３３】
なお、制御回路２１は、映像・音声記録回路２２を用いて、上記した画像および／または音声を記録する。具体的には、上記した画像および／または音声の記録の際、たとえば、映像・音声記録回路２２は、音声回路１９でデジタルデータに置換された映像データおよび／または音声データを、半導体メモリ（フラッシュメモリ、ＤＲＡＭ（Dynamic Random Access Memory）等）から構成される記録回路（映像・音声記録回路２２内に備えられる）に記録する。なお、映像・音声記録回路２２は、上記のデータを、ＣＤ−Ｒ（Compact Disk Recordable）、ＣＤ−ＲＷ（Compact Disk ReWritable）、または、デジタルビデオテープ等の、親機８に対して着脱可能な記録媒体に記録できるよう構成されていてもよい。さらに、映像・音声記録回路２２は、上記のデータを、カセットテープレコーダ等を用いて、アナログ方式で記録するよう構成されていてもよい。
【００３４】
また、Ｓ６４における記録動作は、予め定められた所定時間だけ行なわれても良いし、子機１において所定の操作（再度呼出ボタン５が押圧される、等）がなされた場合に終了するようにしてもよい。
【００３５】
以上説明した本実施の形態において、制御回路２１は、自動応答処理において、来訪者の画像および／または音声を、呼出ボタン５を操作され（Ｓ１でＹＥＳ判断時）、画像および／または音声を記録する旨を報知（Ｓ６１）した後、再度呼出ボタン５が操作された（Ｓ６２でＹＥＳ判断時）ことを条件として、記録していた。テレビドアホン装置が留守設定にされている場合には、呼出ボタン５が最初に押圧されてから（Ｓ１で呼出ボタン５の押圧を検知してから）所定時間が経過したことのみを条件として、上記の記録を開始してもよい。なお、このような態様で記録を開始する際に、表示装置６または音響発生装置４等を用いて記録を開始することを来訪者に対して報知することが好ましい。
【００３６】
さらに、テレビドアホン装置は、上記の記録がなされた後、所定のタイミングで、または、子機１において所定の操作がなされたことを条件として、表示装置６および／または音響発生装置４において、記録された情報を出力させるよう構成されてもよい。これにより、来訪者は、記録された情報を確認できる。
【００３７】
また、テレビドアホン装置における各処理のタイミングや時間（図４のＳ５における時間Ｔ等）や、記録を開始する際に音声を出力させる際の当該音声は、ユーザによって適宜変更できるものとされてもよい。
【００３８】
今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【００３９】
【発明の効果】
以上説明した本発明によると、テレビドアホン装置において、所定の情報が報知された後、来訪者の音声および／または画像の記録が行なわれる。これにより、来訪者に、記録の意図およびタイミングを伝えることができるため、記録に対する来訪者の予期せぬ動きまたは理解不足を解消でき、これらを原因として来訪者の音声または画像を正確に記録できない事態を回避できる。つまり、テレビドアホン装置において、来訪者の画像または音声が正確に記録されるようになる。
【００４０】
また、本発明では、テレビドアホン装置において、呼出ボタンが操作されたことに応じて、所定の情報の報知がなされ、音声および／または画像の記録がなされることにより、より確実に、来訪者に音声または画像の記録のタイミングを認識させることができる。
【００４１】
また、本発明では、テレビドアホン装置において、所定の情報が報知された後に呼出ボタンが操作されたことを条件として音声および／または画像の記録が開始されることにより、来訪者に、音声または画像の記録のタイミングを決定させることができる。
【００４２】
また、本発明では、テレビドアホン装置において、留守応答状態に設定されているときにのみ、来訪者の音声および／または画像の記録のための所定の情報が報知されるため、当該記録が不要のときに無駄に報知が行なわれる事態を回避できる。
【００４３】
また、本発明では、テレビドアホン装置において、留守応答状態に設定されているときにのみ、来訪者の音声および／または画像の記録が行なわれるため、不要なときに無駄に記録が行なわれる事態を回避できる。
【００４４】
また、本発明では、テレビドアホン装置において、来訪者の音声および／または画像の記録のための所定の情報の報知が、表示装置においても行なわれるため、来訪者の記録に対する認識を高めることができる。
【００４５】
また、本発明では、テレビドアホン装置において、来訪者が、記録された音声／画像を確認できるため、来訪者の安心感を高めることができる。
【００４６】
また、本発明では、テレビドアホン装置において、来訪者が、記録された音声／画像が正常に記録されたことを示す表示を確認できるため、来訪者の安心感を高めることができる。
【図面の簡単な説明】
【図１】本発明のテレビドアホン装置の一実施の形態の全体を模式的に示す図である。
【図２】図１のテレビドアホン装置の子機の制御ブロック図である。
【図３】図１のテレビドアホン装置の親機の制御ブロック図である。
【図４】図３の制御回路のメインルーチンのフローチャートである。
【図５】図４の自動応答処理のサブルーチンのフローチャートである。
【符号の説明】
１  子機、２  映像撮像装置、３  集音装置、４  音響発生装置、５  呼出ボタン、６  表示装置、７  接続ケーブル、８  親機、９  画像表示装置、１０  音響発生装置、１１  集音装置、１２  応答ボタン、１３  留守設定ボタン、１４  記録ボタン、１５，１９  音声回路、１６  呼出制御回路、１７  変復調回路、１８  変復調回路、２０  映像駆動回路、２１  制御回路、２２  映像・音声記録回路、２３  合成音声発生回路。
【図１】
2004201089.tif 000003
【図２】
2004201089.tif 000004
【図３】
2004201089.tif 000005
【図４】
2004201089.tif 000006
【図５】
2004201089.tif 000007